(57)【特許請求の範囲】
【請求項１】
圧縮機（２１）、室外熱交換器（２３）、膨張弁（２４）、室内熱交換器（４１）が接続されることによって構成された冷媒回路（１０）と、前記室外熱交換器を流れる冷媒の冷却源としての室外空気を前記室外熱交換器に供給する室外ファン（３６）と、を有しており、前記圧縮機、前記室外熱交換器、前記膨張弁、前記室内熱交換器の順に冷媒を循環させるとともに前記室外ファンを駆動させて冷房運転を行う空気調和装置において、
前記冷房運転の開始時に、前記膨張弁の出入口における冷媒の状態が液単相状態になるとみなされる冷房開始時音低減条件を満たす際は、前記室外ファンを停止し、かつ、前記膨張弁を開けた状態で前記圧縮機を駆動する膨張弁冷媒吐出制御を行い、前記膨張弁冷媒吐出制御の後に、前記膨張弁の開度を小さくし、かつ、前記圧縮機の運転周波数を大きくする膨張弁通常移行制御を行う、
空気調和装置（１）。
【請求項２】
前記膨張弁（２４）の出入口における冷媒の温度又はこれに等価な温度である膨張弁代表温度が、室内熱交換器（４１）の温度又はこれに等価な温度から得られる閾値である音対策判定温度よりも低い場合に、前記冷房開始時音低減条件を満たすものと判定される、
請求項１に記載の空気調和装置（１）。
【請求項３】
前記膨張弁冷媒吐出制御では、前記圧縮機（２１）の運転周波数が、前記冷房開始時音低減条件を満たさない場合の冷房運転の開始時の前記圧縮機の運転周波数である起動周波数よりも小さい音低減起動周波数に設定される、
請求項１又は２に記載の空気調和装置（１）。
【請求項４】
前記膨張弁冷媒吐出制御では、前記膨張弁（２４）の開度が、前記冷房開始時音低減条件を満たさない場合の冷房運転の開始時の前記膨張弁の開度である起動開度よりも大きい音低減起動開度に設定される、
請求項１〜３のいずれか１項に記載の空気調和装置（１）。
【請求項５】
前記膨張弁冷媒吐出制御から前記膨張弁通常移行制御に移行する際に、前記圧縮機（２１）の運転周波数を大きくする前に、前記膨張弁（２４）の開度を小さくする、
請求項１〜４のいずれか１項に記載の空気調和装置（１）。
【請求項６】
前記膨張弁冷媒吐出制御から前記膨張弁通常移行制御に移行する際に、前記圧縮機（２１）の運転周波数を一時的に小さくした状態で、前記膨張弁（２４）の開度を小さくする、
請求項１〜５のいずれか１項に記載の空気調和装置（１）。
【請求項７】
前記膨張弁（２４）は、前記冷房運転時において、横向きに冷媒が流入し下向きに冷媒が流出する配置状態で前記冷媒回路（１０）に設けられている、
請求項１〜６のいずれか１項に記載の空気調和装置（１）。
【発明の詳細な説明】
【技術分野】
【０００１】
本発明は、空気調和装置、特に、圧縮機、室外熱交換器、膨張弁、室内熱交換器の順に冷媒を循環させるとともに室外ファンを駆動させて冷房運転を行う空気調和装置に関する。
【背景技術】
【０００２】
従来より、特許文献１（特開平９−１３３４３４号公報）に示すように、冷房運転を行う空気調和装置がある。具体的には、空気調和装置は、圧縮機、室外熱交換器、膨張弁、室内熱交換器が接続されることによって構成された冷媒回路と、室外熱交換器を流れる冷媒の冷却源としての室外空気を室外熱交換器に供給する室外ファンと、を有している。そして、空気調和装置では、圧縮機、室外熱交換器、膨張弁、室内熱交換器の順に冷媒を循環させるとともに室外ファンを駆動させて冷房運転が行われる。
【発明の概要】
【発明が解決しようとする課題】
【０００３】
上記従来の空気調和装置では、冷房運転時の膨張弁におけるキャビテーション音の問題があり、このような膨張弁におけるキャビテーション音の問題に対して、膨張弁の出入口の冷媒管の内径サイズを工夫するようにしている。
【０００４】
しかし、膨張弁におけるキャビテーション音は、外気温度が低い等の低温条件の冷房運転の開始時において、最も顕著に現れる。そして、上記従来の空気調和装置における膨張弁の出入口の冷媒管の内径サイズの工夫では、低温条件の冷房運転の開始時における膨張弁のキャビテーション音を十分に抑えることができない。
【０００５】
本発明の課題は、圧縮機、室外熱交換器、膨張弁、室内熱交換器の順に冷媒を循環させるとともに室外ファンを駆動させて冷房運転を行う空気調和装置において、低温条件の冷房運転の開始時における膨張弁におけるキャビテーション音を十分に抑えることにある。
【課題を解決するための手段】
【０００６】
第１の観点にかかる空気調和装置は、圧縮機、室外熱交換器、膨張弁、室内熱交換器が接続されることによって構成された冷媒回路と、室外熱交換器を流れる冷媒の冷却源としての室外空気を室外熱交換器に供給する室外ファンと、を有している。空気調和装置は、圧縮機、室外熱交換器、膨張弁、室内熱交換器の順に冷媒を循環させるとともに室外ファンを駆動させて冷房運転を行う。空気調和装置は、冷房運転の開始時に、膨張弁の出入口における冷媒の状態が液単相状態になるとみなされる冷房開始時音低減条件を満たす際は、膨張弁冷媒吐出制御を行い、膨張弁冷媒吐出制御の後に膨張弁通常移行制御を行う。膨張弁冷媒吐出制御は、室外ファンを停止し、かつ、膨張弁を開けた状態で圧縮機を駆動する制御である。膨張弁通常移行制御は、膨張弁の開度を小さくし、かつ、圧縮機の運転周波数を大きくする制御である。
【０００７】
本願の発明者らは、膨張弁におけるキャビテーション音と膨張弁の出入口における冷媒の状態との関係に着目した。そして、低温条件の冷房運転の開始時においては、膨張弁の出入口における冷媒の状態が液単相になっており、この影響によって、膨張弁におけるキャビテーション音が顕著になっていることを見いだした。すなわち、冷房運転の開始時における膨張弁の出入口における冷媒の状態が膨張弁におけるキャビテーション音に影響していることが見いだされたのである。すなわち、膨張弁の出入口に液冷媒が溜まった状態になっているままで冷房運転を開始すると、膨張弁におけるキャビテーション音が顕著に現れる。しかし、膨張弁の出入口に液冷媒が溜まっていない状態で冷房運転を開始すると、膨張弁におけるキャビテーション音が抑えられるのである。
【０００８】
そこで、第１の観点にかかる空気調和装置では、膨張弁の出入口における冷媒の状態を考慮して、冷房運転の開始時に、膨張弁の出入口における冷媒の状態が液単相状態になるとみなされる冷房開始時音低減条件を満たすかどうかを判定するようにしている。そして、冷房開始時音低減条件を満たす場合には、室外ファンを停止し、かつ、膨張弁を開けた状態で圧縮機を駆動する膨張弁冷媒吐出制御を行う。そして、膨張弁冷媒吐出制御の後に、膨張弁の開度を小さくし、かつ、圧縮機の運転周波数を大きくする膨張弁通常移行制御を行うようにしている。
【０００９】
これにより、第１の観点にかかる空気調和装置では、膨張弁におけるキャビテーション音が顕著に現れる条件であるかどうかの直接的な指標となる膨張弁の出入口における冷媒の状態によって、低温条件の冷房運転の開始時であるかどうかが判定される。そして、冷房開始時音低減条件を満たす場合には、膨張弁冷媒吐出制御が行われることによって、膨張弁及びその出入口における液冷媒が、室内熱交換器側に吐出されて、膨張弁の出入口に液冷媒が溜まっていない状態が作り出される。すなわち、圧縮機を駆動する際に、室外ファンを停止し、かつ、膨張弁を開けることによって、室外熱交換器における冷媒の凝縮能力を抑えて膨張弁に液冷媒ができるだけ供給されないようにしつつ、液冷媒がスムーズに室内熱交換器側に流れるようにしている。そして、膨張弁冷媒吐出制御によって膨張弁の出入口に液冷媒が溜まっていない状態を作り出した状態で、膨張弁通常移行制御を行うことによって、膨張弁が通常の制御に移行されて、膨張弁におけるキャビテーション音が抑えられる。
【００１０】
このように、第１の観点にかかる空気調和装置では、冷房開始時音低減条件を満たす場合に膨張弁冷媒吐出制御及び膨張弁通常移行制御を行うことによって、低温条件の冷房運転の開始時における膨張弁におけるキャビテーション音を十分に抑えることができる。
【００１１】
第２の観点にかかる空気調和装置は、第１の観点にかかる空気調和装置において、膨張弁の出入口における冷媒の温度又はこれに等価な温度である膨張弁代表温度が、室内熱交換器の温度又はこれに等価な温度から得られる閾値である音対策判定温度よりも低い場合に、冷房開始時音低減条件を満たすものと判定される。
【００１２】
冷房運転の開始時において、膨張弁の出入口における冷媒の温度又はこれに等価な温度である膨張弁代表温度が、室内側の温度に近い温度まで低下している場合には、膨張弁の出入口における冷媒が冷媒の飽和温度以下になっているものとみなすことができる。
【００１３】
そこで、第２の観点にかかる空気調和装置では、膨張弁の出入口における冷媒の温度である膨張弁代表温度が、室内熱交換器の温度から得られる閾値である音対策判定温度よりも低い場合に、冷房開始時音低減条件を満たすものと判定するようにしている。ここで、膨張弁代表温度としては、膨張弁の出入口に温度センサを設けて、この温度センサが検出した温度値を使用することができる。また、室外熱交換器の温度や外気温度を検出する温度センサが設けられている場合には、これらの温度センサが検出した温度値を、膨張弁の出入口における冷媒の温度に等価な温度として使用してもよい。また、音対策判定温度としては、室内熱交換器の温度を検出する温度センサが設けられている場合には、この温度センサが検出した温度値から得られる閾値を使用することができる。また、室内温度を検出する温度センサが設けられている場合には、この温度センサが検出した温度値を室内熱交換器の温度に等価な温度として使用してもよい。
【００１４】
これにより、第２の観点にかかる空気調和装置では、冷房開始時音低減条件を満たすかどうかを膨張弁代表温度及び音対策判定温度によって正確に判定することができる。
【００１５】
第３の観点にかかる空気調和装置は、第１又は第２の観点にかかる空気調和装置において、膨張弁冷媒吐出制御では、圧縮機の運転周波数が、冷房開始時音低減条件を満たさない場合の冷房運転の開始時の圧縮機の運転周波数である起動周波数よりも小さい音低減起動周波数に設定される。
【００１６】
上記の膨張弁冷媒吐出制御においては、膨張弁を開けて、液冷媒が膨張弁をスムーズに室内熱交換器側に流すようにしている。しかし、このとき、圧縮機の運転周波数が大きいと、室内熱交換器側から圧縮機に液冷媒が戻ってしまうおそれがある。
【００１７】
そこで、第３の観点にかかる空気調和装置では、膨張弁冷媒吐出制御における圧縮機の運転周波数を、冷房開始時音低減条件を満たさない場合の冷房運転の開始時の起動周波数よりも小さい音低減起動周波数に設定するようにしている。
【００１８】
これにより、第３の観点にかかる空気調和装置では、膨張弁冷媒吐出制御において、液冷媒の室内熱交換器側へのスムーズな流れを得つつ、室内熱交換器側から圧縮機に液冷媒が戻ってしまうおそれを抑えることができる。
【００１９】
第４の観点にかかる空気調和装置は、第１〜第３の観点のいずれかにかかる空気調和装置において、膨張弁冷媒吐出制御では、膨張弁の開度が、冷房開始時音低減条件を満たさない場合の冷房運転の開始時の膨張弁の開度である起動開度よりも大きい音低減起動開度に設定される。
【００２０】
上記の膨張弁冷媒吐出制御においては、膨張弁を開けて、液冷媒が膨張弁をスムーズに室内熱交換器側に流すようにしている。しかし、このとき、膨張弁の開度が小さいと、冷媒が膨張弁を通過する際の流路抵抗が大きくなってしまい、液冷媒の室内熱交換器側へのスムーズな流れを妨げるおそれがある。
【００２１】
そこで、第４の観点にかかる空気調和装置では、膨張弁冷媒吐出制御における膨張弁の開度を、冷房開始時音低減条件を満たさない場合の冷房運転の開始時の起動開度よりも大きい音低減起動開度に設定するようにしている。
【００２２】
これにより、第４の観点にかかる空気調和装置では、膨張弁冷媒吐出制御において、冷媒が膨張弁を通過する際の流路抵抗を極力小さくして、液冷媒の室内熱交換器側へのスムーズな流れを確実に得ることができる。
【００２３】
第５の観点にかかる空気調和装置は、第１〜第４の観点のいずれかにかかる空気調和装置において、膨張弁冷媒吐出制御から膨張弁通常移行制御に移行する際に、圧縮機の運転周波数を大きくする前に、膨張弁の開度を小さくする。
【００２４】
上記の膨張弁冷媒吐出制御から膨張弁通常移行制御への移行時に、圧縮機の運転周波数を大きくした後に膨張弁の開度を小さくする操作を行う場合を想定する。この場合には、一時的ではあるが、膨張弁の開度が大きい状態で圧縮機の運転周波数が大きい状態になるため、室内熱交換器側から圧縮機に液冷媒が戻ってしまうおそれがある。
【００２５】
そこで、第５の観点にかかる空気調和装置では、膨張弁冷媒吐出制御から膨張弁通常移行制御に移行する際に、圧縮機の運転周波数を大きくする前に、膨張弁の開度を小さくするようにしている。
【００２６】
これにより、第５の観点にかかる空気調和装置では、膨張弁冷媒吐出制御後に、室内熱交換器側から圧縮機に液冷媒が戻ってしまうおそれを抑えることができる。
【００２７】
第６の観点にかかる空気調和装置は、第１〜第５の観点のいずれかにかかる空気調和装置において、膨張弁冷媒吐出制御から膨張弁通常移行制御に移行する際に、圧縮機の運転周波数を一時的に小さくした状態で、膨張弁の開度を小さくする。
【００２８】
上記の膨張弁冷媒吐出制御から膨張弁通常移行制御への移行時に、圧縮機の運転周波数を維持したままで膨張弁の開度を小さくする操作を行う場合を想定する。この場合には、冷媒回路の膨張弁よりも上流側の部分における冷媒の圧力が上昇する傾向になる。そうすると、膨張弁に流入する液冷媒の流量が増加し、膨張弁冷媒吐出制御によって膨張弁の出入口に液冷媒が溜まっていない状態を作り出したにもかかわらず、膨張弁の出入口が液冷媒で再度満たされた状態になるおそれがいくらかある。
【００２９】
そこで、第６の観点にかかる空気調和装置では、膨張弁冷媒吐出制御から膨張弁通常移行制御に移行する際に、圧縮機の運転周波数を一時的に小さくした状態で、膨張弁の開度を小さくするようにしている。
【００３０】
これにより、第６の観点にかかる空気調和装置では、冷媒回路の膨張弁よりも上流側の部分における冷媒の圧力の上昇傾向を抑えて、膨張弁冷媒吐出制御後に、膨張弁の出入口が液冷媒で再度満たされた状態になることを抑えることができる。
【００３１】
第７の観点にかかる空気調和装置は、第１〜第６の観点のいずれかにかかる空気調和装置において、膨張弁が、冷房運転時において、横向きに冷媒が流入し下向きに冷媒が流出する配置状態で冷媒回路に設けられている。
【００３２】
膨張弁が、冷房運転時において、横向きに冷媒が流入し下向きに冷媒が流出する配置状態（以下、「正サイクル配置状態」とする）で冷媒回路に設けられている構成では、膨張弁におけるキャビテーション音が発生しやすい傾向がある。
【００３３】
しかし、第７の観点にかかる空気調和装置では、上記の膨張弁冷媒吐出制御及び膨張弁通常移行制御を行うことによって、膨張弁が正サイクル配置状態で配置されているにもかかわらず、膨張弁におけるキャビテーション音を十分に抑えることができる。
【発明の効果】
【００３４】
以上の説明に述べたように、本発明によれば、以下の効果が得られる。
【００３５】
第１の観点にかかる空気調和装置では、冷房開始時音低減条件を満たす場合に膨張弁冷媒吐出制御及び膨張弁通常移行制御を行うことによって、低温条件の冷房運転の開始時における膨張弁におけるキャビテーション音を十分に抑えることができる。
【００３６】
第２の観点にかかる空気調和装置では、冷房開始時音低減条件を満たすかどうかを膨張弁代表温度及び音対策判定温度によって正確に判定することができる。
【００３７】
第３の観点にかかる空気調和装置では、膨張弁冷媒吐出制御において、液冷媒の室内熱交換器側へのスムーズな流れを得つつ、室内熱交換器側から圧縮機に液冷媒が戻ってしまうおそれを抑えることができる。
【００３８】
第４の観点にかかる空気調和装置では、膨張弁冷媒吐出制御において、冷媒が膨張弁を通過する際の流路抵抗を極力小さくして、液冷媒の室内熱交換器側へのスムーズな流れを確実に得ることができる。
【００３９】
第５の観点にかかる空気調和装置では、膨張弁冷媒吐出制御後に、室内熱交換器側から圧縮機に液冷媒が戻ってしまうおそれを抑えることができる。
【００４０】
第６の観点にかかる空気調和装置では、冷媒回路の膨張弁よりも上流側の部分における冷媒の圧力の上昇傾向を抑えて、膨張弁冷媒吐出制御後に、膨張弁の出入口が液冷媒で再度満たされた状態になることを抑えることができる。
【００４１】
第７の観点にかかる空気調和装置では、上記の膨張弁冷媒吐出制御及び膨張弁通常移行制御を行うことによって、膨張弁が正サイクル配置状態で配置されているにもかかわらず、膨張弁におけるキャビテーション音を十分に抑えることができる。
【図面の簡単な説明】
【００４２】
【図１】本発明の一実施形態にかかる空気調和装置の概略構成図である。
【図２】膨張弁の概略断面図である。
【図３】空気調和装置の制御ブロック図である。
【図４】冷房起動制御のフローチャートである。
【図５】冷房起動制御時（冷房開始時音低減条件を満たす場合）の圧縮機、室外ファン及び膨張弁のタイムチャートである。
【発明を実施するための形態】
【００４３】
以下、本発明にかかる空気調和装置の実施形態について、図面に基づいて説明する。尚、本発明にかかる空気調和装置の具体的な構成は、下記の実施形態に限られるものではなく、発明の要旨を逸脱しない範囲で変更可能である。
【００４４】
（１）空気調和装置の構成
図１は、本発明の一実施形態にかかる空気調和装置１の概略構成図である。
【００４５】
空気調和装置１は、蒸気圧縮式の冷凍サイクルを行うことによって、建物等の室内の冷房及び暖房を行うことが可能な装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００４６】
＜室内ユニット＞
室内ユニット４は、室内に設置されており、冷媒回路１０の一部を構成している。室内ユニット４は、主として、室内熱交換器４１を有している。
【００４７】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００４８】
室内ユニット４は、室内ユニット４内に室内空気を吸入して、室内熱交換器４１において冷媒と熱交換させた後に、供給空気として室内に供給するための室内ファン４２を有している。すなわち、室内ユニット４は、室内熱交換器４１を流れる冷媒の加熱源又は冷却源としての室内空気を室内熱交換器４１に供給するファンとして、室内ファン４２を有している。ここでは、室内ファン４２として、室内ファン用モータ４３によって駆動される遠心ファンや多翼ファン等が使用されている。
【００４９】
室内ユニット４には、各種のセンサが設けられている。具体的には、室内熱交換器４１には、室内熱交換器４１における冷媒の温度Ｔｒｒを検出する室内熱交温度センサ４４が設けられている。室内ユニット４には、室内ユニット４内に吸入される室内空気の温度Ｔｒａを検出する室内空気温度センサ４５が設けられている。
【００５０】
室内ユニット４は、室内ユニット４を構成する各部の動作を制御する室内側制御部４６を有している。そして、室内側制御部４６は、室内ユニット４の制御を行うために設けられたマイクロコンピュータやメモリ等を有しており、リモコン（図示せず）との間で制御信号等のやりとりを行ったり、室外ユニット２との間で伝送線７を介して制御信号等のやりとりを行うことができるようになっている。
【００５１】
＜室外ユニット＞
室外ユニット２は、室外に設置されており、冷媒回路１０の一部を構成している。室外ユニット２は、主として、圧縮機２１と、四路切換弁２２と、室外熱交換器２３と、膨張弁２４と、アキュムレータ２５と、液側閉鎖弁２６と、ガス側閉鎖弁２７とを有している。
【００５２】
圧縮機２１は、冷凍サイクルにおける低圧の冷媒を高圧になるまで圧縮する機器である。圧縮機２１は、ロータリ式やスクロール式等の容積式の圧縮要素（図示せず）をインバータにより制御される圧縮機用モータ２１ａによって回転駆動する密閉式構造となっている。圧縮機２１は、吸入側に吸入管３１が接続されており、吐出側に吐出管３２が接続されている。吸入管３１は、圧縮機２１の吸入側と四路切換弁２２の第１ポート２２ａとを接続する冷媒管である。吐出管３２は、圧縮機２１の吐出側と四路切換弁２２の第２ポート２２ｂとを接続する冷媒管である。
【００５３】
四路切換弁２２は、冷媒回路１０における冷媒の流れの方向を切り換えるための切換弁である。四路切換弁２２は、冷房運転時には、室外熱交換器２３を圧縮機２１において圧縮された冷媒の放熱器として機能させ、かつ、室内熱交換器４１を室外熱交換器２３において放熱した冷媒の蒸発器として機能させる冷房サイクル状態への切り換えを行う。すなわち、四路切換弁２２は、冷房運転時には、第２ポート２２ｂと第３ポート２２ｃとを連通させ、かつ、第１ポート２２ａと第４ポート２２ｄとを連通させる切り換えを行う。これにより、圧縮機２１の吐出側（ここでは、吐出管３２）と室外熱交換器２３のガス側（ここでは、第１ガス冷媒管３３）とが接続される（図１の四路切換弁２２の実線を参照）。しかも、圧縮機２１の吸入側（ここでは、吸入管３１）とガス冷媒連絡管６側（ここでは、第２ガス冷媒管３４）とが接続される（図１の四路切換弁２２の実線を参照）。また、四路切換弁２２は、暖房運転時には、室外熱交換器２３を室内熱交換器４１において放熱した冷媒の蒸発器として機能させ、かつ、室内熱交換器４１を圧縮機２１において圧縮された冷媒の放熱器として機能させる暖房サイクル状態への切り換えを行う。すなわち、四路切換弁２２は、暖房運転時には、第２ポート２２ｂと第４ポート２２ｄとを連通させ、かつ、第１ポート２２ａと第３ポート２２ｃとを連通させる切り換えを行う。これにより、圧縮機２１の吐出側（ここでは、吐出管３２）とガス冷媒連絡管６側（ここでは、第２ガス冷媒管３４）とが接続される（図１の四路切換弁２２の破線を参照）。しかも、圧縮機２１の吸入側（ここでは、吸入管３１）と室外熱交換器２３のガス側（ここでは、第１ガス冷媒管３３）とが接続される（図１の四路切換弁２２の破線を参照）。第１ガス冷媒管３３は、四路切換弁２２の第３ポート２２ｃと室外熱交換器２３のガス側とを接続する冷媒管である。第２ガス冷媒管３３は、四路切換弁２２の第４ポート２２ｄとガス冷媒連絡管６側とを接続する冷媒管である。
【００５４】
室外熱交換器２３は、冷房運転時には室外空気を冷却源とする冷媒の放熱器として機能し、暖房運転時には室外空気を加熱源とする冷媒の蒸発器として機能する熱交換器である。室外熱交換器２３は、液側が液冷媒管３５に接続されており、ガス側が第１ガス冷媒管３３に接続されている。液冷媒管３５は、室外熱交換器２３の液側と液冷媒連絡管５側とを接続する冷媒管である。
【００５５】
膨張弁２４は、冷房運転時には、室外熱交換器２３において放熱した冷凍サイクルにおける高圧の冷媒を冷凍サイクルにおける低圧まで減圧する弁である。また、膨張弁２４は、暖房運転時には、室内熱交換器４１において放熱した冷凍サイクルにおける高圧の冷媒を冷凍サイクルにおける低圧まで減圧する弁である。膨張弁２４は、液冷媒管３５の液側閉鎖弁２６寄りの部分に設けられている。ここでは、膨張弁２４として、電動膨張弁が使用されている。より具体的には、膨張弁２４は、図２に示すように、主として、弁本体２４０と、弁体２５０と、駆動機構２６０とを有している。弁本体２４０は、弁室２４１内に開口する弁座２４２が形成された部材である。弁本体２４０には、弁室２４１の側方に向かって開口する第１冷媒口２４３と、弁室２４１の下方に向かって開口する第２冷媒口２４４とが形成されている。そして、第１冷媒口２４３は、液冷媒管３５の室外熱交換器２３寄りの部分に接続されており、第２冷媒口２４４は、液冷媒管３５の液側閉鎖弁２６寄りの部分に接続されている。このため、膨張弁２４は、冷房運転時において、横向きに冷媒が流入し下向きに冷媒が流出する配置状態（以下、「正サイクル配置状態」とする）で冷媒回路１０に設けられている。弁座２４２には、弁室２４１と第２冷媒口２４４とを上下方向に連通するように開口したオリフィス穴２４２ａが形成されている。弁体２５０は、駆動機構２６０によって、弁座２４２に対して上下方向に進退する部材である。駆動機構２６０は、モータやソレノイド等からなる。このような構成によって、膨張弁２４は、液冷媒管３５を流れる冷凍サイクルにおける高圧の冷媒を低圧まで減圧するようになっている。
【００５６】
アキュムレータ２５は、圧縮機２１に吸入される低圧の冷媒を一時的に溜める容器である。アキュムレータ２５は、吸入管３１に設けられている。
【００５７】
液側閉鎖弁２６及びガス側閉鎖弁２７は、外部の機器・配管（具体的には、液冷媒連絡管５及びガス冷媒連絡管６）との接続口に設けられた弁である。液側閉鎖弁２６は、液冷媒管３５の端部に設けられている。ガス側閉鎖弁２７は、第２ガス冷媒管３４の端部に設けられている。
【００５８】
室外ユニット２は、室外ユニット２内に室外空気を吸入して、室外熱交換器２３において冷媒と熱交換させた後に、外部に排出するための室外ファン３６を有している。すなわち、室外ユニット２は、室外熱交換器２３を流れる冷媒の冷却源又は加熱源としての室外空気を室外熱交換器２３に供給するファンとして、室外ファン３６を有している。ここでは、室外ファン３６として、室外ファン用モータ３７によって駆動されるプロペラファン等が使用されている。
【００５９】
室外ユニット２には、各種のセンサが設けられている。具体的には、室外熱交換器２３には、室外熱交換器２３における冷媒の温度Ｔｏｒを検出する室外熱交温度センサ３８が設けられている。室外ユニット２には、室外ユニット２内に吸入される室外空気の温度Ｔｏａを検出する室外空気温度センサ３９が設けられている。吸入管３１又は圧縮機２１には、圧縮機２１に吸入される冷凍サイクルにおける低圧の冷媒の温度Ｔｓを検出する吸入温度センサ４７が設けられている。吐出管３２又は圧縮機２１には、圧縮機２１から吐出される冷凍サイクルにおける高圧の冷媒の温度Ｔｄを検出する吐出温度センサ４８が設けられている。吐出管３２又は圧縮機２１には、圧縮機２１から吐出される冷凍サイクルにおける高圧の冷媒の圧力Ｐｄを検出する吐出圧力センサ４９が設けられている。
【００６０】
室外ユニット２は、室外ユニット２を構成する各部の動作を制御する室外側制御部４０を有している。そして、室外側制御部４０は、室外ユニット２の制御を行うために設けられたマイクロコンピュータやメモリ等を有しており、室外ユニット２との間で伝送線７を介して制御信号等のやりとりを行うことができるようになっている。
【００６１】
＜冷媒連絡管＞
冷媒連絡管５、６は、空気調和装置１を建物等の設置場所に設置する際に、現地にて施工される冷媒管であり、設置場所や室外ユニットと室内ユニットとの組み合わせ等の設置条件に応じて種々の長さや管径を有するものが使用される。
【００６２】
以上のように、室外ユニット２と、室内ユニット４と、冷媒連絡管５、６とが接続されることによって、空気調和装置１の冷媒回路１０が構成されている。空気調和装置１は、四路切換弁２２を冷房サイクル状態に切り換えることによって、圧縮機２１、室外熱交換器２３、膨張弁２４、室内熱交換器４１の順に冷媒を循環させるとともに室外ファン３６を駆動させて冷房運転を行うようになっている。また、空気調和装置１は、四路切換弁２２を暖房サイクル状態に切り換えることによって、圧縮機２１、室内熱交換器４１、膨張弁２４、室外熱交換器２３の順に冷媒を循環させるとともに室外ファン３６を駆動させて暖房運転を行うようになっている。尚、ここでは、冷房運転と暖房運転とを切り換えて運転することが可能な構成になっているが、四路切換弁を有しておらず、冷房運転だけが可能な構成であってもよい。
【００６３】
＜制御部＞
空気調和装置１は、室内側制御部４６と室外側制御部４０とから構成される制御部８によって、室外ユニット２及び室内ユニット４の各機器の制御を行うことができるようになっている。すなわち、室内側制御部４６と室外側制御部４０との間を接続する伝送線７とによって、上記の冷房運転や暖房運転等を含む空気調和装置１全体の運転制御を行う制御部８が構成されている。
【００６４】
制御部８は、図３に示すように、各種センサ３８、３９、４４、４５、４７〜４９等の検出信号を受けることができるように接続されるとともに、これらの検出信号等に基づいて各種機器及び弁２１、２２、２４、３７、４３等を制御することができるように接続されている。
【００６５】
（２）空気調和装置の基本動作
次に、空気調和装置１の基本動作（後述の冷房起動制御を除く動作）について、図１を用いて説明する。空気調和装置１は、基本動作として、冷房運転及び暖房運転を行うことが可能である。
【００６６】
＜暖房運転＞
暖房運転時には、四路切換弁２２が暖房サイクル状態（図１の破線で示される状態）に切り換えられる。
【００６７】
冷媒回路１０において、冷凍サイクルにおける低圧のガス冷媒は、圧縮機２１に吸入され、冷凍サイクルにおける高圧になるまで圧縮された後に吐出される。
【００６８】
圧縮機２１から吐出された高圧のガス冷媒は、四路切換弁２２、ガス側閉鎖弁２７及びガス冷媒連絡管６を通じて、室内熱交換器４１に送られる。
【００６９】
室内熱交換器４１に送られた高圧のガス冷媒は、室内熱交換器４１において、室内ファン４２によって冷却源として供給される室内空気と熱交換を行って放熱して、高圧の液冷媒になる。これにより、室内空気は加熱され、その後に、室内に供給されることで室内の暖房が行われる。
【００７０】
室内熱交換器４１で放熱した高圧の液冷媒は、液冷媒連絡管５及び液側閉鎖弁２６を通じて、膨張弁２４に送られる。
【００７１】
膨張弁２４に送られた高圧の液冷媒は、膨張弁２４によって冷凍サイクルにおける低圧まで減圧されて、低圧の気液二相状態の冷媒になる。膨張弁２４で減圧された低圧の気液二相状態の冷媒は、室外熱交換器２３に送られる。
【００７２】
室外熱交換器２３に送られた低圧の気液二相状態の冷媒は、室外熱交換器２３において、室外ファン３６によって加熱源として供給される室外空気と熱交換を行って蒸発して、低圧のガス冷媒になる。
【００７３】
室外熱交換器２３で蒸発した低圧の冷媒は、四路切換弁２２を通じて、再び、圧縮機２１に吸入される。
【００７４】
＜冷房運転＞
冷房運転時には、四路切換弁２２が冷房サイクル状態（図１の実線で示される状態）に切り換えられる。
【００７５】
冷媒回路１０において、冷凍サイクルにおける低圧のガス冷媒は、圧縮機２１に吸入され、冷凍サイクルにおける高圧になるまで圧縮された後に吐出される。
【００７６】
圧縮機２１から吐出された高圧のガス冷媒は、四路切換弁２２を通じて、室外熱交換器２３に送られる。
【００７７】
室外熱交換器２３に送られた高圧のガス冷媒は、室外熱交換器２３において、室外ファン３６によって冷却源として供給される室外空気と熱交換を行って放熱して、高圧の液冷媒になる。
【００７８】
室外熱交換器２３において放熱した高圧の液冷媒は、膨張弁２４に送られる。
【００７９】
膨張弁２４に送られた高圧の液冷媒は、膨張弁２４によって冷凍サイクルにおける低圧まで減圧されて、低圧の気液二相状態の冷媒になる。膨張弁２４で減圧された低圧の気液二相状態の冷媒は、液側閉鎖弁２６及び液冷媒連絡管５を通じて、室内熱交換器４１に送られる。
【００８０】
室内熱交換器４１に送られた低圧の気液二相状態の冷媒は、室内熱交換器４１において、室内ファン４２によって加熱源として供給される室内空気と熱交換を行って蒸発する。これにより、室内空気は冷却され、その後に、室内に供給されることで室内の冷房が行われる。
【００８１】
室内熱交換器４１において蒸発した低圧のガス冷媒は、ガス冷媒連絡管６、ガス側閉鎖弁２７及び四路切換弁２２を通じて、再び、圧縮機２１に吸入される。
【００８２】
（３）冷房起動制御
上記の冷房運転時においては、膨張弁２４におけるキャビテーション音の問題がある。特に、膨張弁２４におけるキャビテーション音は、外気温度が低い等の低温条件の冷房運転の開始時において、最も顕著に現れる。
【００８３】
このような低温条件の冷房運転の開始時における膨張弁２４のキャビテーション音に対して、本願の発明者らは、膨張弁２４におけるキャビテーション音と膨張弁２４の出入口における冷媒の状態との関係に着目した。そして、低温条件の冷房運転の開始時においては、膨張弁２４の出入口における冷媒の状態が液単相になっており、この影響によって、膨張弁２４におけるキャビテーション音が顕著になっていることを見いだした。すなわち、冷房運転の開始時における膨張弁２４の出入口における冷媒の状態が膨張弁２４におけるキャビテーション音に影響していることが見いだされたのである。すなわち、膨張弁２４の出入口に液冷媒が溜まった状態になっているままで冷房運転を開始すると、膨張弁２４におけるキャビテーション音が顕著に現れる。しかし、膨張弁２４の出入口に液冷媒が溜まっていない状態で冷房運転を開始すると、膨張弁２４におけるキャビテーション音が抑えられるのである。
【００８４】
そこで、本実施形態の空気調和装置１では、以下のように、冷房運転の開始時に行われる冷房起動制御において、膨張弁２４の出入口における冷媒の状態が液単相状態になるとみなされる冷房開始時音低減条件を満たすかどうかを判定するようにしている。そして、冷房開始時音低減条件を満たす場合に膨張弁冷媒吐出制御及び膨張弁通常移行制御を行うことによって、低温条件の冷房運転の開始時における膨張弁２４におけるキャビテーション音を十分に抑えるようにしている。
【００８５】
次に、本実施形態における冷房起動制御について、図１〜図５を用いて説明する。ここで、図４は、冷房起動制御のフローチャートである。図５は、冷房起動制御時（冷房開始時音低減条件を満たす場合）の圧縮機２１、室外ファン３６及び膨張弁２４のタイムチャートである。尚、以下に説明する冷房起動制御は、上記の基本動作と同様、制御部８が行う。
【００８６】
＜ステップＳＴ１、ＳＴ４＞
リモコン（図示せず）等によって冷房運転の開始指令がなされると、まず、制御部８は、ステップＳＴ１の判定処理を行う。ステップＳＴ１では、冷房運転の開始時に、膨張弁２４の出入口における冷媒の状態が液単相状態になるとみなされる冷房開始時音低減条件を満たすかどうかを判定する。これにより、膨張弁２４におけるキャビテーション音が顕著に現れる条件であるかどうかの直接的な指標となる膨張弁２４の出入口における冷媒の状態によって、低温条件の冷房運転の開始時であるかどうかを判定することができる。
【００８７】
ここでは、膨張弁２４の出入口における冷媒の温度である膨張弁代表温度Ｔｅｖが、室内熱交換器４１の温度から得られる閾値である音対策判定温度Ｔｅｖｓよりも低い場合に、冷房開始時音低減条件を満たすものと判定するようにしている。なぜなら、冷房運転の開始時において、膨張弁代表温度Ｔｅｖが、室内側の温度に近い温度まで低下している場合には、膨張弁２４の出入口における冷媒が冷媒の飽和温度以下になっているものとみなすことができるからである。ここで、膨張弁代表温度Ｔｅｖとしては、膨張弁２４の出入口に温度センサを設けて、この温度センサが検出した温度値を使用することが考えられる。しかし、空気調和装置１では、膨張弁２４の出入口に温度センサを設けていないため、これに等価な温度である室外熱交換器２３の温度Ｔｏｒを使用している。尚、膨張弁代表温度Ｔｅｖとしては、室外熱交換器２３の温度Ｔｏｒに代えて、これに等価な温度である外気温度Ｔｏａを使用してもよい。また、音対策判定温度Ｔｅｖｓとしては、室内熱交換器４１の温度Ｔｒｒから得られる閾値を使用することができる。尚、音対策判定温度Ｔｅｖｓとしては、室内熱交換器４１の温度Ｔｒｒに代えて、これに等価な温度である室内温度Ｔｒａから得られる閾値を使用してもよい。これにより、冷房開始時音低減条件を満たすかどうかを膨張弁代表温度Ｔｅｖ及び音対策判定温度Ｔｅｖｓによって正確に判定することができる。
【００８８】
そして、ステップＳＴ１の冷房開始時音低減条件を満たさない場合には、ステップＳＴ４の処理に移行して、通常起動制御を行う。すなわち、低温条件でない冷房運転の開始時である場合には、膨張弁２４の出入口における冷媒の状態が液単相状態にならず、膨張弁２４におけるキャビテーション音が顕著に現れる条件ではないため、通常の冷房運転の開始時の起動制御を行う。このため、ステップＳＴ１の冷房開始時音低減条件を満たさない場合には、ステップＳＴ２、ＳＴ３の処理を行わずに、通常制御への移行に先だって、通常起動制御の処理だけを行う。具体的には、膨張弁２４の開度を起動開度Ｘｎｉに設定し、室外ファン３６を駆動し、圧縮機２１の運転周波数を起動周波数ｆｎｉに設定して駆動する。ここで、ステップＳＴ４の処理は、１０〜３０秒程度で行われて（図５の時間ｔ６参照）、その後に、通常制御に移行する。
【００８９】
一方、ステップＳＴ１の冷房開始時音低減条件を満たす場合には、以下に説明するステップＳＴ２に移行し、ステップＳＴ２、ＳＴ３の処理を行った後に、ステップＳＴ４の通常起動制御の処理を行う。
【００９０】
＜ステップＳＴ２＞
ステップＳＴ２では、室外ファン３６を停止し、かつ、膨張弁２４を開けた状態で圧縮機２１を駆動する膨張弁冷媒吐出制御を行う。具体的には、室外ファン３６を停止し、かつ、膨張弁２４を開けた状態で、１０〜３０秒程度経過した後に（図５の時間ｔ１参照）、圧縮機２１を駆動する。これにより、膨張弁２４及びその出入口における液冷媒が、室内熱交換器４１側に吐出されて、膨張弁２４の出入口に液冷媒が溜まっていない状態を作り出すことができる。すなわち、圧縮機２１を駆動する際に、室外ファン３６を停止し、かつ、膨張弁２４を開けることによって、室外熱交換器２３における冷媒の凝縮能力を抑えて膨張弁２４に液冷媒ができるだけ供給されないようにしつつ、液冷媒がスムーズに室内熱交換器４１側に流れるようにすることができる。
【００９１】
ここで、膨張弁冷媒吐出制御においては、膨張弁２４を開けて、液冷媒が膨張弁２４をスムーズに室内熱交換器４１側に流すようにしている。しかし、このとき、圧縮機２１の運転周波数が大きいと、室内熱交換器４１側からガス冷媒連絡管６や四路切換弁２２等を通じて圧縮機２１に液冷媒が戻ってしまうおそれがある。そこで、ここでは、圧縮機２１の運転周波数を、冷房開始時音低減条件を満たさない場合の冷房運転の開始時の圧縮機２１の運転周波数である起動周波数ｆｎｉよりも小さい第１音低減起動周波数ｆｅｖｉ１に設定するようにしている。第１音低減起動周波数ｆｅｖｉ１は、起動周波数ｆｎｉの０．５倍以下の運転周波数に設定することが好ましい。これにより、膨張弁冷媒吐出制御において、液冷媒の室内熱交換器４１側へのスムーズな流れを得つつ、室内熱交換器４１側から圧縮機２１に液冷媒が戻ってしまうおそれを抑えることができる。但し、膨張弁冷媒吐出制御における液冷媒の室内熱交換器４１側へのスムーズな流れを妨げるおそれや室内熱交換器４１側から圧縮機２１に液冷媒が戻ってしまうおそれがない場合には、圧縮機２１の運転周波数を起動周波数ｆｎｉよりも小さくしなくてもよい。
【００９２】
また、膨張弁冷媒吐出制御においては、膨張弁２４を開けて、液冷媒が膨張弁２４をスムーズに室内熱交換器４１側に流すようにしている。しかし、このとき、膨張弁２４の開度が小さいと、冷媒が膨張弁２４を通過する際の流路抵抗が大きくなってしまい、液冷媒の室内熱交換器４１側へのスムーズな流れを妨げるおそれがある。そこで、ここでは、膨張弁２４の開度を、冷房開始時音低減条件を満たさない場合の冷房運転の開始時の起動開度Ｘｎｉよりも大きい音低減起動開度Ｘｅｖｉに設定するようにしている。音低減起動開度Ｘｅｖｉは、起動開度Ｘｎｉの２倍以上の開度に設定することが好ましい。これにより、膨張弁冷媒吐出制御において、冷媒が膨張弁２４を通過する際の流路抵抗を極力小さくして、液冷媒の室内熱交換器４１側へのスムーズな流れを確実に得ることができる。但し、膨張弁冷媒吐出制御における液冷媒の室内熱交換器４１側へのスムーズな流れを妨げるおそれがない場合には、膨張弁２４の開度を起動開度Ｘｎｉよりも大きくしなくてもよい。
【００９３】
そして、圧縮機２１を駆動してから１０〜３０秒程度経過した後に（図５の時間ｔ２参照）、ステップＳＴ３の処理に移行する。
【００９４】
＜ステップＳＴ３＞
ステップＳＴ３では、ステップＳＴ２の膨張弁冷媒吐出制御の後に、膨張弁２４の開度を小さくし、かつ、圧縮機２１の運転周波数を大きくする膨張弁通常移行制御を行う。具体的には、膨張弁２４の開度を、冷房開始時音低減条件を満たさない場合の冷房運転の開始時の起動開度Ｘｎｉまで小さくし、圧縮機２１の運転周波数を、冷房開始時音低減条件を満たさない場合の冷房運転の開始時の圧縮機２１の運転周波数である起動周波数ｆｎｉまで大きくするようにしている。これにより、膨張弁２４の出入口に液冷媒が溜まっていない状態を作り出した状態で、膨張弁２４を通常の制御、すなわち、ステップＳＴ４の通常起動制御、及び、その後の通常制御に移行して、膨張弁２４におけるキャビテーション音を抑えることができる。また、本実施形態のように、膨張弁２４が正サイクル配置状態、すなわち、冷房運転時において横向きに冷媒が流入し下向きに冷媒が流出する配置状態で冷媒回路１０に設けられている場合には、膨張弁２４におけるキャビテーション音が発生しやすい傾向がある。しかし、上記の膨張弁冷媒吐出制御及び膨張弁通常移行制御を行うことによって、膨張弁２４が正サイクル配置状態で配置されているにもかかわらず、膨張弁２４におけるキャビテーション音を十分に抑えることができる。
【００９５】
ここで、膨張弁冷媒吐出制御から膨張弁通常移行制御への移行時に、圧縮機２１の運転周波数を大きくした後に膨張弁２４の開度を小さくする操作を行う場合を想定する。この場合には、一時的ではあるが、膨張弁２４の開度が大きい状態で圧縮機２１の運転周波数が大きい状態になるため、室内熱交換器４１側からガス冷媒連絡管６や四路切換弁２２等を通じて圧縮機２１に液冷媒が戻ってしまうおそれがある。そこで、ここでは、膨張弁冷媒吐出制御から膨張弁通常移行制御に移行する際に、圧縮機２１の運転周波数を大きくする前に、膨張弁２４の開度を小さくするようにしている。具体的には、膨張弁２４の開度を小さくする操作を行ってから５〜１５秒程度経過した後に（図５の時間ｔ４参照）、圧縮機２１の運転周波数を大きくする操作を行うようにしている。これにより、膨張弁冷媒吐出制御後に、室内熱交換器４１側から圧縮機２１に液冷媒が戻ってしまうおそれを抑えることができる。但し、室内熱交換器４１側から圧縮機２１に液冷媒が戻ってしまうおそれがない場合には、圧縮機２１の運転周波数を大きくする前に、膨張弁２４の開度を小さくする操作を行わなくてもよい。
【００９６】
また、膨張弁冷媒吐出制御から膨張弁通常移行制御への移行時に、圧縮機２１の運転周波数を維持したままで膨張弁２１の開度を小さくする操作を行う場合を想定する。この場合には、冷媒回路１０の膨張弁２４よりも上流側の部分における冷媒の圧力が上昇する傾向になる。そうすると、膨張弁２４に流入する液冷媒の流量が増加し、膨張弁冷媒吐出制御によって膨張弁２４の出入口に液冷媒が溜まっていない状態を作り出したにもかかわらず、膨張弁２４の出入口が液冷媒で再度満たされた状態になるおそれがいくらかある。そこで、ここでは、膨張弁冷媒吐出制御から膨張弁通常移行制御に移行する際に、圧縮機２１の運転周波数を一時的に小さくした状態で、膨張弁２４の開度を小さくするようにしている。具体的には、膨張弁の開度を小さくする操作よりも５〜１５秒程度前に（図５の時間ｔ３参照）、圧縮機２１の運転周波数を第１音低減起動周波数ｆｅｖｉ１よりも小さい第２音低減起動周波数ｆｅｖｉ２まで小さくするようにしている。第２音低減起動周波数ｆｅｖｉ２は、例えば、ゼロ（圧縮機２１を停止）にすることが好ましい。これにより、冷媒回路１０の膨張弁２４よりも上流側の部分における冷媒の圧力の上昇傾向を抑えて、膨張弁冷媒吐出制御後に、膨張弁２４の出入口が液冷媒で再度満たされた状態になることを抑えることができる。尚、圧縮機２１の運転周波数を第２音低減起動周波数ｆｅｖｉ２まで小さくした状態は、膨張弁の開度を小さくする操作よりも５〜１５秒程度後（図５の時間ｔ４参照）に解除される。そして、圧縮機２１の運転周波数は、起動周波数ｆｎｉまで大きくなるように操作される。但し、膨張弁２４の出入口が液冷媒で再度満たされた状態になるおそれがない場合には、膨張弁２４の開度を小さくする際に圧縮機２１の運転周波数を一時的に小さくする操作を行わなくてもよい。
【００９７】
そして、圧縮機２１の周波数を大きくしてから２０〜４０秒程度経過した後に（図５の時間ｔ５参照）、ステップＳＴ４の処理に移行する。
【００９８】
このようにして、本実施形態の空気調和装置１の冷房起動制御（冷房開始時音低減条件を満たす場合に行われる膨張弁冷媒吐出制御及び膨張弁通常移行制御を含む）が行われる。そして、このような冷房起動制御によって、低温条件の冷房運転の開始時における膨張弁２４におけるキャビテーション音を十分に抑えることができる。
【産業上の利用可能性】
【００９９】
本発明は、圧縮機、室外熱交換器、膨張弁、室内熱交換器の順に冷媒を循環させるとともに室外ファンを駆動させて冷房運転を行う空気調和装置に対して、広く適用可能である。
【符号の説明】
【０１００】
１    空気調和装置
１０  冷媒回路
２１  圧縮機
２３  室外熱交換器
４１  室内熱交換器
２４  膨張弁
３６  室外ファン
【先行技術文献】
【特許文献】
【０１０１】
【特許文献１】特開平９−１３３４３４号公報
【図１】
0005327351.tif 000002
【図２】
0005327351.tif 000003
【図３】
0005327351.tif 000004
【図４】
0005327351.tif 000005
【図５】
0005327351.tif 000006